(57)【要約】      （修正有）【課題】精神振作匂いを有する薬剤を収容すると共に、該匂いが使用者に吸入しやすい容器を提供する。【解決手段】少なくとも本体１０と、上部材２０と、カバー３０と、を含み、本体１０の内部に収容部１１が形成されると共に、上端に開口１２が形成され、開口１２に上部材２０が設けられ、上部材２０は中空状であり、上面に複数の貫通孔２２が形成され、カバー３０が上部材２０の上端に覆われ、カバー３０を上部材２０から取り外す際、本体１０の収容部１１に収容される薬剤又は他の収容物の匂いが上部材２０における貫通孔２２を介して発散される。【選択図】図１
0003118468.tif 000002
【実用新案登録請求の範囲】
【請求項１】
少なくとも本体と、上部材と、カバーと、を含み、該本体の内部に収容部が形成されると共に、上端に開口が形成され、該開口に上部材が設けられ、該上部材は中空状であり、上面に複数の貫通孔が形成され、該カバーが上部材の上端に覆われ、カバーを上部材から取り外す際、本体の収容部に収容される薬剤又は他の収容物の匂いが上部材における貫通孔を介して発散されることを特徴とする容器。
【請求項２】
前記本体の収容部に、上端に螺合部を有する収容部材が設けられ、該上部材の内部に収容部材の螺合部と螺合可能な螺合部が設けられると共に、下部に本体の開口に挿入される結合部が設けられることを特徴とする請求項１に記載の容器。
【請求項３】
前記該上部材の上面の隣側にも複数の貫通孔が形成され、内部に通気性を有するスポンジ部材が設けられることを特徴とする請求項１又は２に記載の容器。
【考案の詳細な説明】
【技術分野】
【０００１】
本考案は、特に精神振作匂いを有する薬剤を収容すると共に、該匂いが使用者に吸入しやすい容器に関するものである。
【背景技術】
【０００２】
現代の人々は、ストレスを受けやすい環境において生活しているため、体調をくずしやすい上、脳や神経などの病もよく発生しやすい。故に、大部分の人は、ストレスを解消するために、精神振作の効果を有する薬剤を使用している。
【０００３】
従来の精神振作の効果を有する薬剤では、皮膚に塗布することによって皮膚に吸収され、こうすることにより、不適な症状を緩和する。
【考案の開示】
【考案が解決しようとする課題】
【０００４】
しかしながら、前記皮膚に塗布する薬剤では、脳のストレスを解消することができず、若し脳までストレス解消する効果を効かせる薬剤を収容する容器があれば、この問題を解決することができる。
【０００５】
そこで、案出されたのが本考案であって、精神振作匂いを有する薬剤を収容すると共に、該匂いが使用者に吸入しやすい容器を提供することを目的としている。
【課題を解決するための手段】
【０００６】
本願の請求項１の考案は、少なくとも本体と、上部材と、カバーと、を含み、該本体の内部に収容部が形成されると共に、上端に開口が形成され、該開口に上部材が設けられ、該上部材は中空状であり、上面に複数の貫通孔が形成され、該カバーが上部材の上端に覆われ、カバーを上部材から取り外す際、本体の収容部に収容される薬剤又は他の収容物の匂いが上部材における貫通孔を介して発散されることを特徴とする容器、を提供する。
【０００７】
本願の請求項２の考案は、前記本体の収容部に、上端に螺合部を有する収容部材が設けられ、該上部材の内部に収容部材の螺合部と螺合可能な螺合部が設けられると共に、下部に本体の開口に挿入される結合部が設けられることを特徴とする請求項１に記載の容器、を提供する。
【０００８】
本願の請求項３の考案は、前記該上部材の上面の隣側にも複数の貫通孔が形成され、内部に通気性を有するスポンジ部材が設けられることを特徴とする請求項１又は２に記載の容器、を提供する。
【考案の効果】
【０００９】
本考案は上記の課題を解決するものであり、少なくとも本体と、上部材と、カバーと、を含み、該本体の内部に収容部が形成されると共に、上端に開口が形成され、該開口に上部材が設けられ、該上部材は中空状であり、上面に複数の貫通孔が形成され、該カバーが上部材の上端に覆われ、カバーを上部材から取り外す際、本体の収容部に収容される薬剤又は他の収容物の匂いが上部材における貫通孔を介して発散されることにより、脳のストレスを解消することができる。
【考案を実施するための最良の形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１は本考案に係る容器の分解斜視図であり、図２は本考案に係る容器の断面図であり、図３は本考案に係る容器の斜視図であり、図４は本考案に係る容器の使用状態を示す斜視図であり、図５は本考案に係る容器の他の実施例を示す分解斜視図である。
【００１２】
本考案に係る容器は、少なくとも本体と、上部材と、カバーと、を含み、該本体の内部に収容部が形成されると共に、上端に開口が形成され、該開口に上部材が設けられ、該上部材は中空状であり、上面に複数の貫通孔が形成され、該カバーが上部材の上端に覆われ、カバーを上部材から取り外す際、本体の収容部に収容される薬剤又は他の収容物の匂いが上部材における貫通孔を介して発散されることができる。
【００１３】
以下、本考案に係る容器の具体の実施例について、図面を参照しながら、説明する。
図１に示すように、本考案に係る容器は、本体（１０）と、上部材（２０）と、収容部材（２４）と、カバー（３０）とを含み、該本体（１０）の内部に収容部材（２４）を収容するための収容部（１１）が形成されると共に、上端に開口（１２）が形成され、該上部材（２０）の下部に本体（１０）の開口（１２）に挿入される結合部（２１）が設けられ、該結合部（２１）と本体（１０）の開口（１２）縁は、螺合又は係合手段によって結合することができ、又、該収容部材（２４）は、内部に薬剤を収容すると共に、上端に上部材（２０）の下端から内部に挿入する螺合部（２５）が設けられ、上部材（２０）の内部にこの螺合部（２５）と螺合可能な螺合部が設けられ（図２を参照する）、該上部材（２０）の上面と該上面の隣側に複数の貫通孔（２２）が形成され、該カバー（３０）が上部材（２０）の上端に覆われる。
【００１４】
又、前記実施例における上部材（２０）の貫通孔（２２）は、上部材（２０）の上面と該上面の隣側に形成される以外、図５に示すように、上部材（２０）の上面だけに該貫通孔（２３）が形成されても良い。
【００１５】
又、図２に示すように、本考案に係る容器を組合わせる際、先ず収容部材（２４）の内部に精神振作薬剤又は他の物が充填され、上部材（２０）の内部に通気性を有するスポンジ部材（４０）が設けられると共に、下端から収容部材（２４）が設けられ、該収容部材（２４）と上部材（２０）の結合部（２１）が本体の開口（１２）から収容部（１１）に挿入され、最後にカバー（３０）が上部材（２０）の上端に覆われることにより、図３に示すような容器となる。
【００１６】
図４に示すように、本考案に係る容器を使用する場合、該カバー（３０）を本体（１０）の上部から取り外することにより、上部材（２０）を露出させ、この露出した上部材（２０）を鼻の下へ置くことにより、精神振作薬剤の匂いを使用者に吸入しやすくできるので、脳のストレスを解消することができる。
【産業上の利用可能性】
【００１７】
本考案は上記の構成を有するので、少なくとも本体と、上部材と、カバーと、を含み、該本体の内部に収容部が形成されると共に、上端に開口が形成され、該開口に上部材が設けられ、該上部材は中空状であり、上面に複数の貫通孔が形成され、該カバーが上部材の上端に覆われ、カバーを上部材から取り外す際、本体の収容部に収容される薬剤又は他の収容物の匂いが上部材における貫通孔を介して発散されることにより、脳のストレスを解消することができる。
【図面の簡単な説明】
【００１８】
【図１】本考案に係る容器の分解斜視図である。
【図２】本考案に係る容器の断面図である。
【図３】本考案に係る容器の斜視図である。
【図４】本考案に係る容器の使用状態を示す斜視図である。
【図５】本考案に係る容器の他の実施例を示す分解斜視図である。
【符号の説明】
【００１９】
１０        本体
１１        収容部
１２        開口
２０        上部材
２１        結合部
２２        貫通孔
２３        貫通孔
２４        収容部材
２５        螺合部
３０        カバー
４０        スポンジ部材
【図１】
0003118468.tif 000003
【図２】
0003118468.tif 000004
【図３】
0003118468.tif 000005
【図４】
0003118468.tif 000006
【図５】
0003118468.tif 000007